(57)【要約】【課題】電子時計の内部に挿入した静電気を素早く外部へ除去する事を目的とする。【解決手段】本発明は導電性の文字板１に固着された文字板足１ａが、ムーブメント基台５にある前記文字板足１ａより小さく締め代を持った貫通穴５ａに文字板足１ａが挿入され、さらに貫通した前記文字板足１ａは電子時計ムーブメント４の構成部品である回路押さえ板２の文字板アースバネ部２ａと接触導通する。回路押さえ板２は裏蓋アースバネ部２ｂで裏蓋と巻真アースバネ部２ｃで巻真３と接触導通する。よって、文字板１、裏蓋、巻真３いずれかから入り込んだ静電気は他方より速やかに放出される。また電子時計ムーブメント４に帯電した静電気も文字板１、裏蓋、巻真３より速やかに放出される。【選択図】      図３
2004226236.tif 000002
【特許請求の範囲】
【請求項１】
導電性の文字板を時計ムーブメントに固定する文字板固定構造において、前記文字板は下面に文字板足を有し、前記時計ムーブメントを構成する合成樹脂部材に前記文字板足よりも締め代を有した貫通穴を有した筒形状部が文字板足位置と同じ位置に配置され、前記文字板足が、前記筒形状部に挿入貫通する事で文字板が時計ムーブメントに固定され、前記筒形状部より貫通して飛び出した前記文字板足が時計ムーブメントを構成する板材と電気的に導通する第１の導通手段が設けられている事を特徴とする電子時計。
【請求項２】
前記文字板足と電気的に導通する板材は、時計ムーブメントを構成する巻真とも電気的に導通する第２の導通手段が設けられている事を特徴とする請求項１の記載の電子時計。
【発明の詳細な説明】
【０００１】
【発明の属する技術分野】
本発明は、電子時計に関し、電子時計の静電気対策構造に関する。
【０００２】
【従来の技術】
従来の電子時計における静電気対策構造として、時計ムーブメントの表示押さえ部材により文字板への導通の確保と回路押さえ部材より裏蓋への導通の確保をしている（例えば、特許文献１参照）。
【０００３】
【特許文献１】
特開２００１−２８９９６９号公報
【０００４】
【発明が解決しようとする課題】
しかしながら、時計ムーブメントのコストを抑える上で合成樹脂を基台とした時計ムーブメントが主流になるばかりか、部品点数も削減する事も大きなウエイトに成りつつある昨今、文字板側に静電気対策する理由のみに金属部材を取り付ける事は、出来得る限り避けたい現実がある。
【０００５】
本発明の目的は、上述のような欠点を解消し、最小限の部品点数で文字板への静電気対策構造を提供する事である。
【０００６】
【課題を解決するための手段】
本発明は、金属の文字板を時計ムーブメントに固定する文字板固定構造において、前記文字板は下面に文字板足を有し、前記時計ムーブメントを構成する合成樹脂部材に前記文字板足よりも締め代を有した貫通穴を有した筒形状部が文字板足位置と同じ位置に配置され、前記文字板足が、前記筒形状部に挿入貫通する事で文字板が時計ムーブメントに固定され、前記筒形状部より貫通して飛び出した前記文字板足が時計ムーブメントを構成する板材と電気的に導通する第１の導通手段が設けられている事を特徴としている。
【０００７】
また、前記文字板足と電気的に導通する板材は、時計ムーブメントを構成する巻真とも電気的に導通する第２の導通手段が設けられている事を特徴としている。
【０００８】
【発明の実施の形態】
以下、本発明の実施の形態を図面に基づいて詳述する。図１は本発明の実施の形態を示す時計ムーブメントの平面図、図２は本発明の実施の形態を示す時計ムーブメントの側面図である。１は金属の文字板であり、文字板固定構造として下面に文字板足１ａが固着されている。前記文字板１は、合成樹脂部材で出来た電子時計ムーブメント４のムーブメント基台５にある前記文字板足１ａより小さく締め代を持った貫通穴５ａに文字板足１ａが挿入される事で、電子時計ムーブメント４と固定されている。
【０００９】
２は、電子時計ムーブメント４の構成部品である回路押さえ板で有り、ネジ固定によりしっかりとムーブメント基台５に固定されている。３は、電子時計ムーブメント４の時刻修正に用いる巻真である。回路押さえ板２には、文字板足１ａに接触導通する為の第１の導通手段である文字板アースバネ部２ａと、裏蓋に接触導通する為の文字板アースバネ部２ｂと、巻真３に接触導通する為の第２の導通手段である巻真アースバネ部２ｃ（図４参照）とを一体で備えている。
【００１０】
さらに、本発明の静電気対策構造について詳細に説明する。図３は、図１記載のＡ−Ａ部の断面形状である。文字板足１ａは、バネ力を持つ文字板アースバネ力２ａにより接触導通し、電気的接続が保たれている。図示はしていないが、文字板１の多くは、外装ケースと導通されている。よって、外装ケースと文字板１と回路押さえ板２の導通経路は確保されて事になる。
【００１１】
また、回路押さえ板２は、図３に示す如く、裏蓋アースバネ部２ｂにより外装部材の裏蓋との導通経路も確保されている。
【００１２】
図４は、図１記載のＢ−Ｂ部の断面形状である。巻真３は、バネ力を持つ巻真アースバネ部２ｃにより接触導通し、電気的接続が保たれている。巻真３は、外装部材である外部操作部材と一体になっており電気導通も確保出来る。
【００１３】
よって、文字板より入り込んだ静電気は、文字板アースバネ部２ａを経由して回路押さえ板２に入り込み、再び、裏蓋アースバネ部２ｂ経由して裏蓋へ、及び巻真アースバネ部２ｃを経由して巻真３へ放出される。同様に、裏蓋より入り込んだ静電気は、回路押さえ板２を経由して文字板１や巻真３へ、巻真３から入り込んだ静電気は、回路押さえ板２を経由して文字板１や裏蓋へ放出される。
【００１４】
また、静電気が入り込む事で電子時計ムーブメント４に帯電されるが、回路押さえ板２の各アースバネ部により速やかに外部へ放出され電子時計ムーブメントへの悪影響を取り去る事が出来る。
【００１５】
本発明の実施の形態においては、文字板アースバネ２ａの近傍に裏蓋アースバネ２ｂを配しているが、裏蓋アースバネ２ｂは巻真アースバネ２ｃの近傍に配しても良い。また、同様に文字板アースバネ部２ａを巻真アースバネ部２ｃの近傍に配しても良い。さらには文字板アースバネ２ａ、裏蓋アースバネ２ｂ、巻真アースバネ２ｃをそれぞれ複数配する事で、更なる静電気対策構造の向上も行う事が出来る。
【００１６】
【発明の効果】
以上のように本発明によれば、回路押さえ板一部品で、文字板と裏蓋への導通経路、裏蓋と外部操作部材への導通経路、外部操作部材と文字板への導通経路と複数の導通経路の実現が可能であり、一箇所から入り込んだ静電気を複数箇所で放電可能となり時計ム−ブメントに対する静電気対策構造の信頼性が向上する。また時計ムーブメントとして部品点数を最小限に抑えた静電気対策構造の提供が可能である。
【図面の簡単な説明】
【図１】本発明の実施の形態を示す時計ムーブメントの平面図である。
【図２】本発明の実施の形態を示す時計ムーブメントの側面図である。
【図３】本発明の実施の形態を示す時計ムーブメントのＡ−Ａ部の断面図である。
【図４】本発明の実施の形態を示す時計ムーブメントのＢ−Ｂ部の断面図である。
【符号の説明】
１  文字板
１ａ  文字板足
２  回路押さえ板
２ａ  文字板アースバネ部
２ｂ  裏蓋アースバネ部
２ｃ  巻真アースバネ部
３  巻真
４  電子時計ムーブメント
５  ムーブメント基台
【図１】
2004226236.tif 000003
【図２】
2004226236.tif 000004
【図３】
2004226236.tif 000005
【図４】
2004226236.tif 000006